(57)【要約】【課題】窓口での出金取引で現金管理装置から現金を出金する際に、出納機が管理する当該出金取引の情報と実際に現金管理装置から出金した金額とに差異が生じることを防止するための手段を提供する。【解決手段】オープン出納機１５への現金の補充とオープン出納機１５からの現金の回収を行う移動可能な現金管理装置１であって、現金を出金するときはオープン出納機１５から出金する現金の情報を受信して、その受信した現金の情報に基づいて現金を出金することを特徴とする。【選択図】図１
2008310519.tif 000002
【特許請求の範囲】
【請求項１】
出納機への現金の補充と前記出納機からの現金の回収を行う移動可能な現金管理装置であって、
前記出納機と情報の送受信を行う送受信手段を備え、
現金を出金するときは、前記送受信手段により前記出納機から出金する現金の情報を受信して、その受信した現金の情報に基づいて現金を出金することを特徴とする現金管理装置。
【請求項２】
請求項１に記載の現金管理装置であって、
前記出納機との間で現金の受渡しが可能に連結する連結部を備え、
該連結部により前記出納機の連結部に連結して、現金を補充するときは、前記送受信手段により前記出納機から補充する現金の情報を受信して、その受信した現金の情報に基づいて前記連結部を介して現金を前記出納機に補充し、現金を回収するときは、前記出納機から回収する現金の情報を受信して、その受信した分の現金を前記出納機から前記連結部を介して回収することを特徴とする現金管理装置。
【請求項３】
請求項１、請求項２に記載の現金管理装置において、
前記出納機に補充した現金の鑑別、計数についての鑑別計数結果を前記送受信手段により前記出納機から受信し、その鑑別計数結果と前記補充する現金の情報とを照合して、現金の補充の結果を確認し、
前記出納機から回収した現金を鑑別、計数し、その鑑別計数結果と前記回収する現金の情報とを照合して、現金の回収の結果を確認することを特徴とする現金管理装置。
【請求項４】
請求項１、請求項２または請求項３に記載の現金管理装置において、
係員に損券損貨を金種毎に投入させ、投入された金種の枚数を計数していき、その金種毎の枚数をもとに損券損貨の合計額として計数することを特徴とする現金管理装置。
【請求項５】
出納機と、該出納機への現金の補充と前記出納機からの現金の回収を行う移動可能な現金管理装置とを備える現金管理システムであって、
前記現金管理装置は、前記出納機と情報の送受信を行う送受信手段と、前記出納機との間で現金の受渡しが可能に連結する連結部とを備え、該連結部により前記出納機の連結部に連結し、
現金を補充するときは、前記出納機は、補充する現金の情報が入力されたときに、入力された補充する現金の情報を前記現金管理装置に送信し、
前記現金管理装置は、前記送受信手段により前記出納機から補充する現金の情報を受信して、その受信した現金の情報に基づいて前記連結部を介して現金を前記出納機に補充し、
現金を回収するときは、前記出納機は、回収する現金の情報が入力されたときに、入力された回収する現金の情報を前記現金管理装置に送信し、さらに回収する現金の情報に基づく現金を前記連結部を介して前記現金管理装置に送信し、
前記現金管理装置は、前記送受信手段により前記出納部から補充する現金の情報を受信し、その受信した分の現金を前記連結部を介して回収することを特徴とする現金管理システム。
【請求項６】
請求項５に記載の現金管理システムにおいて、
前記現金管理装置を複数備え、
現金を補充するときは、前記現金管理装置は、前記出納機から受信した補充する現金の情報と収納している金種別の現金の枚数を比較し、前記収納している現金の枚数が足りないときは、他の現金管理装置に交換して現金の補充を行うように通知し、
現金の回収を行うとき、前記現金管理装置は、前記出納機から受信した回収する現金の情報に基づく回収する現金の金種毎の枚数と収納している現金の金種毎の枚数との合計枚数を収納できる金種毎の限度枚数と比較し、合計枚数が限度枚数以上の金種があるときは、他の現金管理装置に交換して現金の回収を行うように通知することを特徴とする現金管理システム。
【発明の詳細な説明】
【技術分野】
【０００１】
本発明は、金融機関の営業店における、出納機と現金管理装置とからなる現金管理システムに関する。
【背景技術】
【０００２】
一般に現金管理システムは、出納機と、出納機に現金を補充してさらに出納機から現金を回収する現金管理装置とからなる。
従来の出納機は、金融機関の窓口に設置されて係員の操作によって窓口取引における現金の入出金における処理を行い、１日の業務の最後に出納機内の現金と顧客との取引による現金の入出金の取引を元に計数した残高カウンタとを比較してその一致を確認することで締め上げ処理を完了している（例えば、特許文献１参照。）。
【０００３】
そして、締め上げ処理が完了した後は、出納機内の現金を係員が取り出して、現金バス等の現金管理装置に係員が直接手で運んで投入し、全ての現金が投入された後、現金管理装置は店舗内に設置された金庫に運ばれて保管されている。
また、窓口で大口の出金取引を行う係員は、出納機を用いる代わりに現金管理装置から直接現金を取り出しており、その際には係員は予め出納機に現金管理装置から取り出す現金の金額を入力することで現金管理装置から現金を取り出す旨の履歴を残して、その後現金管理装置の方に移動して顧客に出金する現金を直接取り出している。
【特許文献１】特開２０００−１６３６５３号公報（段落「００１０」、第１図）
【発明の開示】
【発明が解決しようとする課題】
【０００４】
しかしながら、上述した従来の技術においては、大口の出金取引を行うときに、係員のミスによって予め出納機に入力した金額と現金管理装置から実際に取り出した現金の金額とが一致していない場合があり、そのような場合には後の現金を集計したときに差異がでて、それにより集計のやり直し等を行う必要が生じて業務効率が悪くなるという問題がある。
【０００５】
本発明は、上記の問題点を解決するための手段を提供することを目的とする。
【課題を解決するための手段】
【０００６】
本発明は、上記課題を解決するために、出納機への現金の補充と前記出納機からの現金の回収を行う移動可能な現金管理装置であって、前記出納機と情報の送受信を行う送受信手段を備え、現金を出金するときは、前記送受信手段により前記出納機から出金する現金の情報を受信して、その受信した現金の情報に基づいて現金を出金することを特徴とする。
【発明の効果】
【０００７】
このようにして、本発明は、現金管理装置に送受信手段を設けることで、出納機との間で情報の送受信を行うようにしたことで、係員のミスによって出納機に予め入力した現金管理装置からの出金金額と現金管理装置から取り出した現金とが不一致となることを防止でき、現金の管理の厳正化、及び業務効率が向上するという効果が得られる。
【発明を実施するための最良の形態】
【０００８】
以下に、図面を参照して本発明による現金管理システムの実施例について説明する。
【実施例１】
【０００９】
図１は実施例１の現金管理装置を示す外観図、図２は実施例１の現金管理装置を示すブロック図である。
図１において、１は現金管理装置であり、金融機関の店舗に設置されて自動取引装置や窓口の元方に設置された係員によって使用されるオープン出納機１５（出納機）へ補充する現金の払い出しや自動取引装置内に余った現金の回収等を行う。
【００１０】
また、現金管理装置１は窓口取引における取引で出金金額が大きいとき等には、係員の操作によって現金を出金する。
２は表示操作部であり、営業店の出納担当者等の係員が行う業務の業務選択画面やその入力画面、処理操作の手順等を表示するＣＲＴやＬＣＤ等の表示画面と、係員が出金額等の金額や選択した業務処理の識別記号等を入力するキーボード等によって構成される。
【００１１】
３は現金カセット装填部であり、現金を金種毎に格納した現金カセットを装填する他、装填された現金カセット内の現金を紙幣搬送路および硬貨搬送路に繰出す機能を有する。
なお、現金カセットに格納される現金は万券、５千券、２千券、千券等の紙幣と、５００円、１００円、５０円、１０円、５円、１円の硬貨である。
そして現金カセットは、紙幣については金種毎に区分けして格納する他、金種毎の紙幣を１００枚ごとに束ねて紙帯等で施封した小束を区分けして格納するようにその内部が区切られており、また硬貨を格納する箇所についても同様に金種毎に区分けして格納する他、複数枚の硬貨を束ねた棒金を区分けして格納するように内部が区切られている。
【００１２】
さらに、現金カセットは、金融機関の現金を管理する現金集中管理センタに保管されるものであり、その現金カセットは現金集中管理センタにて現金管理装置１に装填され、現金カセットが装填された現金管理装置１が現金専用輸送車によって各店舗へ搬送されている。
４は通信アンテナ部であり、金融機関の窓口の元方に設置されたオープン出納機１５等の取引装置と無線による情報の授受を行う機能を有する。
【００１３】
また、現金管理装置１は現金カセット装填部３に装填されたカセットから紙幣を繰出して搬送する紙幣搬送路と硬貨を搬送する硬貨搬送路を有し、その紙幣搬送路によって搬送した紙幣を排出する紙幣入出金口５と、硬貨搬送路によって搬送した硬貨を排出する硬貨入出金口６を備える。
７は連結部であり、紙幣搬送路および硬貨搬送路をオープン出納機１５の搬送路と連結し、現金管理装置１とオープン出納機１５とが互いの現金を受渡し可能な構造となるように構成され、外部に露出しないようにするための扉を備えており、その扉を開いてオープン出納機１５側の連結部とつき合わせて連結する。
【００１４】
また、後述するオープン出納機１５は、上記連結部７と同様に扉を備える構成の連結部が設けられており、現金管理装置１とオープン出納機１５とを連結する時には、その扉を開いて連結部７と連結するようになる。
なお、連結した状態である連結部７およびオープン出納機１５の連結部は、外部に露出しないような構造となっているものとする。
【００１５】
なお、本発明において、現金管理装置１はその底部に車輪を備えていることで台車に収納庫を取り付けたような構成となっており、さらに現金管理装置１を移動させるための取っ手となるバー１ａが設けられ、係員がそのバー１ａを押したり引いたりして現金管理装置１自体を移動させている。
図２において、８は制御部であり、記憶部９に格納される制御プログラムに従って現金管理装置１の各部の動作を制御する他、通信アンテナ部４によって店舗内のオープン出納機１５をはじめ他の取引装置と通信を行う機能を有する。
【００１６】
９は記憶部であり、制御部８が実行する制御プログラム等が格納される他、制御部８による処理結果等を記憶する。
また、記憶部９は、金種毎の収納できる現金の限度枚数（収納限度枚数という。）を格納する他、現金管理装置１で行った処理にもとづいて計数した現金の有高や、実際の金種毎の現金の収納枚数等を記憶する。
【００１７】
１０は現金入出金部であり、紙幣投入口に投入された紙幣や硬貨投入口に投入された硬貨等の現金を受け入れ鑑別、計数して金種別に現金カセット装填部３に収納すると共に収納した現金を繰出して払出す機能を有する。
１５はオープン出納機であり、店舗に設置されて係員の操作によって窓口取引で用いる現金の入出金処理等を行う。
【００１８】
１６は出納機制御部であり、出納機記憶部１７に格納される制御プログラムに従ってオープン出納機１５の各部の動作を制御する他、通信部１８によって現金管理装置１と通信を行う機能を有する。
１７は出納機記憶部であり、出納機制御部１６が実行する制御プログラム等が格納される他、出納機制御部１６による処理結果等を記憶する。
【００１９】
また、出納機記憶部１７は、顧客との取引による入出金金額や現金管理装置１から補充した現金の金額、現金管理装置１に回収させた現金の金額等を計数して記憶する。
１９は出納機現金管理部であり、紙幣投入口や硬貨投入口に投入された現金を受け入れ鑑別、計数して金種別に収納すると共に、収納した現金を繰出して払い出す機能を有し、さらに現金管理装置１と連結しているときに現金管理装置１から搬送される現金を収納する他、収納した現金を現金管理装置１に搬送する機能を有する。
【００２０】
２０は出納機表示操作部であり、係員が行う業務の業務選択画面やその入力画面、在高情報、処理操作の手順等を表示するＣＲＴやＬＣＤ等の表示画面と、係員が出金額等の金額や選択した業務処理の識別記号等を入力するキーボード等によって構成される。
また、出納機制御部１６は、業務開始時に格納した現金の金額、窓口取引における取引金額、現金管理装置１からの現金の補充金額、現金管理装置１への現金の回収金額等をもとに出納機現金管理部１９に収納されている出納機内有高を計数し、その計数した出納機内有高を出納機記憶部１７に記憶させる。
【００２１】
上述した構成の作用について説明する。
一日の窓口業務に必要な分の現金を準備するため係員は、店舗内の金庫に保管した現金管理装置１を運び出し、オープン出納機１５の方に移動させ、連結部７の扉を開き、またオープン出納機１５の連結部の扉を開いて、現金管理装置１とオープン出納機１５とを連結部を介して連結させる。
【００２２】
このときオープン出納機１５の出納機制御部１６は、出納機表示操作部２０に現金準備処理や現金補充処理、現金回収処理、締め上げ処理等の各種処理の選択を促す旨の画面とその選択キー等を配した処理選択画面を表示する。
係員が処理選択画面から現金準備処理を行うための選択キーを入力すると、出納機制御部１６は現金準備に必要な現金の金種毎の補充枚数等からなる補充情報の入力を促す画面を表示し、係員によって入力された補充情報に基づく金額を出納機内有高として出納機記憶部１７に記憶しておき、その補充情報を付した現金補充電文を通信部１８によって現金管理装置１に送信する。
【００２３】
現金管理装置１の制御部８は、受信した現金補充電文の補充情報に基づく金額を出納機内有高として記憶部９に記憶し、その補充情報に従って現金入出金部１０によって収納している現金を連結部７を介してオープン出納機１５に補充する。
次にオープン出納機１５内の現金が不足した場合の動作について説明する。
まず係員は現金管理装置１をオープン出納機１５の置いてある場所まで移動させ、連結部７の扉を開き、またオープン出納機１５の連結部の扉を開いて、現金管理装置１とオープン出納機１５とを連結部を介して連結させる。
【００２４】
オープン出納機１５の出納機制御部１６は、出納機表示操作部２０に処理選択画面を表示して待機しており、係員が処理選択画面から現金補充処理の選択キーを入力すると、補充する現金の金種毎の枚数（補充枚数という。）を入力するように促す画面を出納機表示操作部２０に表示する。
係員は、表示された画面に従って補充する現金の補充枚数を入力する。
【００２５】
出納機制御部１６は、入力された補充枚数を出納機記憶部１７に記憶しておき、その補充枚数を通信部１８によって現金管理装置１に送信する。
現金管理装置１の制御部８は、受信した補充枚数を記憶部９に記憶しておき、補充枚数に従って金種毎の枚数を現金入出金部１０から繰出して連結部を介してオープン出納機１５へ搬送する。
【００２６】
そしてオープン出納機１５の出納機制御部１６は、出納機現金管理部１９によって現金管理装置１から搬送された現金を鑑別、金種毎の枚数を計数し、その計数した枚数と記憶した補充枚数とを照合して、一致していることを確認することで現金補充処理の結果を確認し、搬送された現金を金種別に収納する。
さらにオープン出納機１５の出納機現金管理部１９に収納した現金が満杯となって、一部の現金を現金管理装置１に移す場合の回収動作について説明する。
【００２７】
まず係員は現金管理装置１をオープン出納機１５の置いてある場所まで移動させ、連結部７の扉を開き、またオープン出納機１５の連結部の扉を開いて、現金管理装置１とオープン出納機１５とを連結部を介して連結させる。
出納機制御部１６は出納機表示操作部２０に処理選択画面を表示して待機しており、係員が処理選択画面から現金回収処理の選択キーを押下すると、回収する現金の金種毎の枚数（回収枚数という。）を入力するように促す画面を表示し、これに従って係員は現金の回収枚数を入力する。
【００２８】
出納機制御部１６は、入力された回収枚数を出納機記憶部１７に記憶し、その回収枚数を通信部１８によって現金管理装置１に送信する。
制御部８は、受信した回収枚数を記憶部９に記憶する。
出納機制御部１６は、受信した回収枚数に従って出納機現金管理部１９から現金を繰出し、連結部７を介して繰出した現金を現金管理装置１に搬送する。
【００２９】
制御部８は、現金入出金部１０によってオープン出納機１５から搬送された現金を鑑別、金種毎の枚数を計数してその計数した枚数と記憶した回収枚数とを照合し、一致していることを確認して現金回収処理の結果を確認し、搬送された現金を金種別に収納する。
このようにして、一日の出納業務を完了し、次に締め上げ処理を行う際、出納機制御部１６は現金管理装置１が管理している有高を受信して、また顧客との取引のために図示しない金融機関のセンタに送信した取引金額の集計額等により、出納機記憶部１７が記憶した取引での入出金金額と受信した取引金額の集計額とから勘定に関わる取引の精査を行う。また出納機制御部１６は、出納機内有高や現金管理装置１が管理している有高等、図示しない金庫内の在庫有高等をもとに補充処理や回収処理等の回金に関わる処理の精査を行って一致していれば合明とする。
【００３０】
ここで、現金管理装置１内に収納された現金の内、小束紙幣と棒金硬貨以外の束にまとめられていない現金については、後日行われる全ての現金を集計して精査を行う現金締め上げ処理で、集計した際に集計金額に端数が出て有高との比較が面倒となる場合があるため、予め係員は束になっていない現金を現金管理装置１からオープン出納機１５に移動させるようにする。
【００３１】
そのため、係員は現金管理装置１をオープン出納機１５と連結させ、束になっていない現金を移動させるための操作を行う。
上記の操作を受付けた制御部８は、小束紙幣と棒金硬貨以外の現金を現金カセット装填部３から繰出して連結部７を介してオープン出納機１５に搬送し、オープン出納機１５内に収納させる。
【００３２】
このとき、制御部８は、束になっていない現金の金額を現金入出金部１０によって計数し、計数した金額を記憶部９に記憶した有高から差し引いた金額を新たに有高として記憶する。そして制御部８は計数した金額を通信アンテナ部４によってオープン出納機１５に送信する。
出納機制御部１６は、現金管理装置１から計数した金額を受信すると、記憶部１７から出納機内有高を読み出し、受信した金額を出納機内有高に加算して、新たに出納機内有高を記憶部１７に記憶する。
【００３３】
以上説明したように、本実施例では、現金管理装置とオープン出納機とを連結させて、係員が直接手で触れることなく現金管理装置とオープン出納機との間での現金移動を行うようにしたので、係員が現金を手で取扱うことを最小限にでき、装置間での現金の移動の際に一部の現金が紛失してしまうことを防止でき、さらに店舗における現金の管理の厳正化、及び業務効率が向上するという効果がある。
【００３４】
なお、上記実施例１において、現金管理装置１が１台ある場合を例に説明したが、複数台の現金管理装置１によって店舗内の現金を管理する統合的なシステムを構成するようにしてもよく、その場合にはまず１つの現金管理装置１で現金の補充や回収を行って他の現金管理装置１は店舗内の金庫に格納しておくものとする。
具体的には、メインとなる１台の現金管理装置１でオープン出納機１５への現金補充処理および現金回収処理を行う。
【００３５】
現金補充処理の場合、現金管理装置１の制御部８は、オープン出納機１５からの現金補充情報を受信した際に記憶している金種毎の現金の収納枚数と受信した現金補充情報に基づく金種毎の補充枚数とを比較し、収納枚数が補充枚数に対して少ない金種が有った場合には表示操作部２に他の現金管理装置１に交換して現金補充処理を行うようにを促す旨の画面を表示して係員への通知を行う。
【００３６】
また制御部８は、オープン出納機１５に現金補充処理を一時中断させるための電文を送信することで、オープン出納機１５側の動作を中断させるようにする。
そして係員は、現金管理装置１をオープン出納機１５との連結から外して店舗内の金庫に運んで格納し、その金庫内にある別の現金管理装置１を運び出して当該オープン出納機１５の方に移動させて連結部７を介して連結させる。
【００３７】
係員が出納機表示操作部２０によって一時中断している現金補充処理を再開させるための操作を行うと、出納機制御部１６は出納機記憶部１７に記憶した現金補充情報を通信部１８によって現金管理装置１に送信し、これによって別の現金管理装置１との間で現金補充処理を行う。
現金回収処理の場合は、制御部８は、オープン出納機１５から回収枚数を受信した際に、記憶した金種毎の現金の収納枚数と、収納限度枚数とを読み出し、回収枚数と収納枚数との合計枚数を収納限度枚数と比較して、合計枚数が収納限度枚数を超えている金種の現金が有った場合には、上記と同様にして表示操作部２に他の現金管理装置１と交換して現金回収処理を行うように促す旨の画面を表示して係員に通知し、別の現金管理装置１に交換してオープン出納機１５との間で現金回収処理を行わせるようにする。
【００３８】
このようにしたことによって、さらに現金不足の発生を防止することができ、業務効率が向上する。
【実施例２】
【００３９】
図３は実施例２の現金管理装置を示す説明図である。
なお、本実施例は、上記実施例１に対して現金管理装置１に損券損貨管理部２５を設けている点が相違する。
損券損貨管理部２５は、投入された損券または損貨の枚数を計数する機能を有し、その投入された損券と損貨を区分けして収納する。
【００４０】
上記の構成において、損券損貨の締め上げ処理時の取り扱いについて説明する。
オープン出納機１５の出納機制御部１６は、締め上げ処理時や通常業務中に損傷や変形によって出納機現金管理部１９で鑑別できなかった現金を損券損貨として、現金管理装置１に設けた図示しないリジェクト庫に収納しておく。
そして、係員がオープン出納機１５の出納機表示操作部２０で損券損貨の有高処理のための操作を行うと、出納機制御部１６は損券損貨の金種毎の枚数を入力するように促す画面を表示する。
【００４１】
係員は、現金管理装置１のリジェクト庫から損券損貨を取り出し、次に表示された画面に従って取り出した損券損貨をもとにその金種毎の枚数を入力する。
出納機制御部１６は、入力された金種毎の枚数に基づく金額を損券損貨有高として出納機記憶部１７に記憶し、損券損貨有高を通信部１８によって現金管理装置１に送信する。
これにより、制御部８は受信した損券損貨有高を記憶部９に記憶する。
【００４２】
そして、係員が現金管理装置１の表示操作部２によって損券損貨を収納するための操作を行うと、制御部８は投入する損券あるいは損貨の金種を入力するように促す画面や金種の入力欄等を表示する。
係員はその画面に従って、最初に投入する金種を入力すると共に、現金入出金部１０の紙幣投入口あるいは硬貨投入口に入力した金種に該当する損券あるいは損貨を投入する。
【００４３】
制御部８は、係員によって入力された金種を記憶部９に記憶しておき、投入された損券あるいは損貨の枚数を損券損貨管理部２５によって計数し、計数した損券あるいは損貨を損券損貨管理部２５内における記憶部９に記憶した金種に該当する箇所に収納していく。
上記と同様にして、制御部８は投入する金種の入力を促す画面と入力欄等を表示し、係員が入力した金種の損券あるいは損貨を投入して、その投入した枚数を計数して損券損貨管理部２５に収納していく動作を、損券損貨の金種の分だけ行っていく。
【００４４】
そして、制御部８は、記憶した金種毎の損券損貨の枚数を読み出し、その枚数から損券損貨の合計金額を計数し、その計数した合計金額と記憶部９に記憶した損券損貨有高と照合してその一致を確認する。
以上説明したように本実施例では、上記実施例１の効果に加えて、締め上げ処理のときにオープン出納機で金種を鑑別できなかった損券損貨について、金種毎に順に現金管理装置に投入して、それぞれの金種の枚数を計数してそこから損券損貨の合計金額を計数するようにしたので、損券損貨を係員が手計数する手間を省くことができ、さらに手計数による集計ミスを防止するため、より厳正に損券損貨の管理を行うことができる。
【００４５】
なお、店舗でオープン出納機から回収され現金管理装置に収納された現金は、一定量の余剰になると現金輸送車により現金集中管理センタに現送される。また、店舗においてさらに資金が必要である場合は、現金集中管理センタから現金輸送車により必要な資金が現受されるようになっている。
ここで、図４は現金輸送車とセンタ間の通信状態を示す説明図である。
【００４６】
図４に示すように、現金集中管理センタから店舗に現金管理装置を搬送する場合において、現金輸送車に発信機及びＧＰＳを取り付けるようにし、現金管理装置をそのまま現金輸送車に搭載する。
そして、現金輸送車内の輸送車システムと現金管理装置とを通信可能に接続して、現金管理装置の記憶部に記憶した現金金額等の各種データを通信部によって現金輸送車側に送信するようにし、現金輸送車の輸送車システムが受信した各種データを管理してもよい。
【００４７】
また、現金管理集中センタ等の金融機関のセンタが、現金輸送車のＧＰＳによる位置情報を取得し、その位置情報から現金輸送車の位置や移動状況を管理し、現金輸送車が店舗に近づいた際にその店舗に設置する現金管理装置を輸送車システムに通知するようにしてもよい。
【図面の簡単な説明】
【００４８】
【図１】実施例１の現金管理装置を示す外観図
【図２】実施例１の現金管理装置を示すブロック図
【図３】実施例２の現金管理装置を示す説明図
【図４】現金輸送車とセンタ間の通信状態を示す説明図
【符号の説明】
【００４９】
１    現金管理装置
２    表示操作部
３    現金カセット装填部
４    通信アンテナ部
５    紙幣入出金口
６    硬貨入出金口
７    連結部
８    制御部
９    記憶部
１０  現金入出金部
１５  オープン出納機
１６  出納機制御部
１７  出納機記憶部
１８  通信部
１９  出納機現金管理部
２０  出納機表示操作部
【図１】
2008310519.tif 000003
【図２】
2008310519.tif 000004
【図３】
2008310519.tif 000005
【図４】
2008310519.tif 000006